(57)【特許請求の範囲】
【請求項１】
その軸方向に沿って断面が矩形形状の水路が形成されるコンクリートブロックを隣接させ、その目地部を止水する可撓性を有する止水目地材であって、
前記水路の端部における角部を構成する第１縁と第２縁とを覆う第１目地材と前記第１目地材に接続する第２目地材とを備え、
前記第１目地材は、
前記目地部に沿って延び、前記水路の内部に突出する凸状体と、
前記凸状体の長手方向の両側に沿って延び、前記水路の内面に接触する一対の第１フランジとからなり、
前記第２目地材は、
前記目地部に沿って延び、前記凸状体に接続すると共に前記目地部の内部に突出する凹状体と、
前記凹状体の長手方向の両側に沿って延びると共に前記第１フランジに接続し、前記水路の内面に接触する一対の第２フランジとからなる、止水目地材。
【請求項２】
前記コンクリートブロックの各々は、前記水路の上部が閉じるように構成され、
前記第１縁は、前記水路の端部を構成する一対の水平縁の上方側である、請求項１記載の止水目地材。
【請求項３】
その軸方向に沿って断面が矩形形状の水路が形成されるコンクリートブロックを隣接させ、その目地部を止水する可撓性を有する止水目地材であって、
前記水路の端部における角部を構成する水平縁と垂直縁とを覆う、水平目地材と前記水平目地材に接続する垂直目地材とを備え、
前記水平目地材は、
前記目地部に沿って延び、前記目地部の内部に突出する第１凹状体と、
前記第１凹状体の長手方向の両側に沿って延び、前記水路の内面に接触する一対の第１フランジとからなり、
前記垂直目地材は、
前記目地部に沿って延び、前記第１凹状体に接続すると共に前記目地部の内部に突出する第２凹状体と、
前記第２凹状体の長手方向の両側に沿って延びると共に前記第１フランジに接続し、前記水路の内面に接触する一対の第２フランジとからなり、
前記第１凹状体と前記第２凹状体とは、前記水路の内部に突出する凸状体を介して接続される、止水目地材。
【請求項４】
その軸方向に沿って断面が矩形形状の水路が形成されるコンクリートブロックを隣接させ、その目地部を止水する可撓性を有する止水目地材であって、
前記水路の端部における角部を構成する水平縁と垂直縁とを覆う、水平目地材と前記水平目地材に接続する垂直目地材とを備え、
前記水平目地材は、
前記目地部に沿って延び、前記水路の内部に突出する第１凸状体と、
前記第１凸状体の長手方向の両側に沿って延び、前記水路の内面に接触する一対の第１フランジとからなり、
前記垂直目地材は、
前記目地部に沿って延び、前記第１凸状体に接続すると共に前記水路の内部に突出する第２凸状体と、
前記第２凸状体の長手方向の両側に沿って延びると共に前記第１フランジに接続し、前記水路の内面に接触する一対の第２フランジとからなり、
前記第１凸状体と前記第２凸状体とは、互いの一部が重なるように接続される、止水目地材。
【請求項５】
その軸方向に沿って断面が８角形形状の水路が形成されるコンクリートブロックを隣接させ、その目地部を止水する可撓性を有する止水目地材であって、
前記水路の端部における角部を構成する水平縁と傾斜縁と垂直縁とを覆う、水平目地材と前記水平目地材に接続する傾斜目地材と前記傾斜目地材に接続する垂直目地材とを備え、
前記水平目地材は、
前記目地部に沿って延び、前記水路目地部の内部に突出する第１凹状体と、
前記第１凹状体の長手方向の両側に沿って延び、前記水路の内面に接触する一対の第１フランジとからなり、
前記傾斜目地材は、
前記目地部に沿って延び、前記第１凹状体に接続すると共に前記水路の内部に突出する凸状体と、
前記凸状体の長手方向の両側に沿って延びると共に前記第１フランジに接続し、前記水路の内面に接触する一対の第２フランジとからなり、
前記垂直目地材は、
前記目地部に沿って延び、前記凸状体に接続すると共に前記目地部の内部に突出する第２凹状体と、
前記第２凹状体の長手方向の両側に沿って延びると共に前記第２フランジに接続し、前記水路の内面に接触する一対の第３フランジとからなる、止水目地材。
【請求項６】
その軸方向に沿って断面が８角形形状の水路が形成されるコンクリートブロックを隣接させ、その目地部を止水する可撓性を有する止水目地材であって、
前記水路の端部における角部を構成する水平縁と傾斜縁と垂直縁とを覆う、水平目地材と前記水平目地材に接続する傾斜目地材と前記傾斜目地材に接続する垂直目地材とを備え、
前記水平目地材は、
前記目地部に沿って延び、前記水路の内部に突出する第１凸状体と、
前記第１凸状体の長手方向の両側に沿って延び、前記水路の内面に接触する一対の第１フランジとからなり、
前記傾斜目地材は、
前記目地部に沿って延び、前記第１凸状体に接続すると共に前記目地部の内部に突出する凹状体と、
前記凹状体の長手方向の両側に沿って延びると共に前記第１フランジに接続し、前記水路の内面に接触する一対の第２フランジとからなり、
前記垂直目地材は、
前記目地部に沿って延び、前記凹状体に接続すると共に前記目地部の内部に突出する第２凸状体と、
前記第２凸状体の長手方向の両側に沿って延びると共に前記第２フランジに接続し、前記水路の内面に接触する一対の第３フランジとからなる、止水目地材。
【請求項７】
その軸方向に沿って断面が８角形形状の水路が形成されるコンクリートブロックを隣接させ、その目地部を止水する可撓性を有する止水目地材であって、
前記水路の端部における角部を構成する第１縁と傾斜縁と第２縁とを覆う、第１目地材と前記第１目地材に接続する傾斜目地材と前記傾斜目地材に接続する第２目地材とを備え、
前記第１目地材は、
前記目地部に沿って延び、前記水路の内部に突出する第１凸状体と、
前記第１凸状体の長手方向の両側に沿って延び、前記水路の内面に接触する一対の第１フランジとからなり、
前記傾斜目地材は、
前記目地部に沿って延び、前記第１凸状体に接続すると共に前記水路の内部に突出する第２凸状体と、
前記第２凸状体の長手方向の両側に沿って延びると共に前記第１フランジに接続し、前記水路の内面に接触する一対の第２フランジとからなり、
前記第２目地材は、
前記目地部に沿って延び、前記第１凸状体に接続すると共に前記目地部の内部に突出する凹状体と、
前記凹状体の長手方向の両側に沿って延びると共に前記第２フランジに接続し、前記水路の内面に接触する一対の第３フランジとからなり、
前記第１凸状体と前記第２凸状体とは、互いの一部が重なるように接続される、止水目地材。
【請求項８】
前記コンクリートの各々は前記水路の上部が閉じるように構成され、
前記第１縁は、前記水路の端部を構成する一対の水平縁の上方側である、請求項７記載の止水目地材。
【発明の詳細な説明】
【技術分野】
【０００１】
この発明は止水目地材に関し、特に水路として使用されるコンクリートブロック間の目地部を止水するための止水目地材に関するものである。
【背景技術】
【０００２】
図１１は従来の止水目地材のコンクリートブロックへの取付状態を示した概略斜視図であり、図１２は図１１で示したＸＩＩ−ＸＩＩラインの拡大断面図である。
【０００３】
これらの図を参照して、水路１８ａ，水路１８ｂを構成する上面が開放のコンクリートブロック１５ａ，コンクリートブロック１５ｂが目地部１６を介して隣接状態に設置されている。そして目地部１６をその内面から塞ぐように目地部１６に沿って止水目地材８４が取り付けられている。止水目地材８４は、目地部１６内に突出する凹状体８８と、凹状体８８の長手方向の両側に沿って延び、水路１８ａ，水路１８ｂの内面に接するように取り付けられる一対のフランジ８９ａ，フランジ８９ｂより構成されている。
【０００４】
止水目地材８４の取付けの際には、フランジ８９ａ，フランジ８９ｂの外面を押える板状の押え板８５ａ，押え板８５ｂが、コンクリートブロック１５ａ，コンクリートブロック１５ｂに固定されているアンカーボルト９０ａ，アンカーボルト９０ｂを介して取り付けられる。
【０００５】
このように凹状体８８が形成されているため、地震等によって目地部１６の間隔が変化した場合であってもその変化を吸収することができ、止水目地材８４の目地部１６に対する止水機能を保持することが可能となる。
【発明の開示】
【発明が解決しようとする課題】
【０００６】
上記のような従来の止水目地材の構造では、水路の平坦部分は特に問題がないが、傾斜部８７ａ，傾斜部８７ｂのような水路１８ａ，水路１８ｂの角部において取付けが容易ではない。即ち、このような角部に止水目地材８４の凹状体８８を沿わせようとすると、凹状体８８に過大な引張力が生じるため、その変形の妨げとなる。
【０００７】
従って、凹状体８８に過大な引張力を加えて取り付けたとしても、その取付状態が不安定となり、止水性能に影響を及ぼすことになる。そこで、このような角部には、実際には予めその角部に対応する止水目地材８４を所定の形状に加工しておき、これを取り付けるのが実際的である。しかしこの方法では、加工に手間がかかり、又、既存の目地部を補修するような場合には、目地部の間隔は当所から変化している場合もあるため、現場合せが必要となり、効率的な止水目地材の取付けとはならない。
【０００８】
この発明は上記のような課題を解決するためになされたもので、水路の角部にあっても現場にて容易に合わせることができ、安定した取付状態が維持できる止水目地材を提供することを目的とする。
【課題を解決するための手段】
【０００９】
上記の目的を達成するために、請求項１記載の発明は、その軸方向に沿って断面が矩形形状の水路が形成されるコンクリートブロックを隣接させ、その目地部を止水する可撓性を有する止水目地材であって、水路の端部における角部を構成する第１縁と第２縁とを覆う、第１目地材と第１目地材に接続する第２目地材とを備え、第１目地材は、目地部に沿って延び、水路の内部に突出する凸状体と、凸状体の長手方向の両側に沿って延び、水路の内面に接触する一対の第１フランジとからなり、第２目地材は、目地部に沿って延び、凸状体に接続すると共に目地部の内部に突出する凹状体と、凹状体の長手方向の両側に沿って延びると共に第１フランジに接続し、水路の内面に接触する一対の第２フランジとからなるものである。
【００１０】
このように構成すると、角部において凸状体又は凹状体に過大な引張力が生じない。
【００１１】
請求項２記載の発明は、請求項１記載の発明の構成において、コンクリートブロックの各々は、水路の上部が閉じるように構成され、第１縁は、水路の端部を構成する一対の水平縁の上方側であるとしたものである。
【００１２】
このように構成すると、上部に配置された凸状体はその先端が下方に向かう。
【００１３】
請求項３記載の発明は、その軸方向に沿って断面が矩形形状の水路が形成されるコンクリートブロックを隣接させ、その目地部を止水する可撓性を有する止水目地材であって、水路の端部における角部を構成する水平縁と垂直縁とを覆う、水平目地材と水平目地材に接続する垂直目地材とを備え、水平目地材は、目地部に沿って延び、目地部の内部に突出する第１凹状体と、第１凹状体の長手方向の両側に沿って延び、水路の内面に接触する一対の第１フランジとからなり、垂直目地材は、目地部に沿って延び、第１凹状体に接続すると共に目地部の内部に突出する第２凹状体と、第２凹状体の長手方向の両側に沿って延びると共に第１フランジに接続し、水路の内面に接触する一対の第２フランジとからなり、第１凹状体と第２凹状体とは、水路の内部に突出する凸状体を介して接続されるものである。
【００１４】
このように構成すると、角部において凹状体に過大な引張力が生じない。
【００１５】
請求項４記載の発明は、その軸方向に沿って断面が矩形形状の水路が形成されるコンクリートブロックを隣接させ、その目地部を止水する可撓性を有する止水目地材であって、水路の端部における角部を構成する水平縁と垂直縁とを覆う、水平目地材と水平目地材に接続する垂直目地材とを備え、水平目地材は、目地部に沿って延び、水路の内部に突出する第１凸状体と、第１凸状体の長手方向の両側に沿って延び、水路の内面に接触する一対の第１フランジとからなり、垂直目地材は、目地部に沿って延び、第１凸状体に接続すると共に水路の内部に突出する第２凸状体と、第２凸状体の長手方向の両側に沿って延びると共に第１フランジに接続し、水路の内面に接触する一対の第２フランジとからなり、第１凸状体と第２凸状体とは、互いの一部が重なるように接続されるものである。
【００１６】
このように構成すると、角部において凸状体に過大な圧縮力が生じない。
【００１７】
請求項５記載の発明は、その軸方向に沿って断面が８角形形状の水路が形成されるコンクリートブロックを隣接させ、その目地部を止水する可撓性を有する止水目地材であって、水路の端部における角部を構成する水平縁と傾斜縁と垂直縁とを覆う、水平目地材と水平目地材に接続する傾斜目地材と傾斜目地材に接続する垂直目地材とを備え、水平目地材は、目地部に沿って延び、水路目地部の内部に突出する第１凹状体と、第１凹状体の長手方向の両側に沿って延び、水路の内面に接触する一対の第１フランジとからなり、傾斜目地材は、目地部に沿って延び、第１凹状体に接続すると共に水路の内部に突出する凸状体と、凸状体の長手方向の両側に沿って延びると共に第１フランジに接続し、水路の内面に接触する一対の第２フランジとからなり、垂直目地材は、目地部に沿って延び、凸状体に接続すると共に目地部の内部に突出する第２凹状体と、第２凹状体の長手方向の両側に沿って延びると共に第２フランジに接続し、水路の内面に接触する一対の第３フランジとからなるものである。
【００１８】
このように構成すると、傾斜面を有する角部において凹状体に過大な引張力が生じない。
【００１９】
請求項６記載の発明は、その軸方向に沿って断面が８角形形状の水路が形成されるコンクリートブロックを隣接させ、その目地部を止水する可撓性を有する止水目地材であって、水路の端部における角部を構成する水平縁と傾斜縁と垂直縁とを覆う、水平目地材と水平目地材に接続する傾斜目地材と傾斜目地材に接続する垂直目地材とを備え、水平目地材は、目地部に沿って延び、水路の内部に突出する第１凸状体と、第１凸状体の長手方向の両側に沿って延び、水路の内面に接触する一対の第１フランジとからなり、傾斜目地材は、目地部に沿って延び、第１凸状体に接続すると共に目地部の内部に突出する凹状体と、凹状体の長手方向の両側に沿って延びると共に第１フランジに接続し、水路の内面に接触する一対の第２フランジとからなり、垂直目地材は、目地部に沿って延び、凹状体に接続すると共に目地部の内部に突出する第２凸状体と、第２凸状体の長手方向の両側に沿って延びると共に第２フランジに接続し、水路の内面に接触する一対の第３フランジとからなるものである。
【００２０】
このように構成すると、傾斜面を有する角部において凸状体に過大な圧縮力が生じない。
【００２１】
請求項７記載の発明は、その軸方向に沿って断面が８角形形状の水路が形成されるコンクリートブロックを隣接させ、その目地部を止水する可撓性を有する止水目地材であって、水路の端部における角部を構成する第１縁と傾斜縁と第２縁とを覆う、第１目地材と第１目地材に接続する傾斜目地材と傾斜目地材に接続する第２目地材とを備え、第１目地材は、目地部に沿って延び、水路の内部に突出する第１凸状体と、第１凸状体の長手方向の両側に沿って延び、水路の内面に接触する一対の第１フランジとからなり、傾斜目地材は、目地部に沿って延び、第１凸状体に接続すると共に水路の内部に突出する第２凸状体と、第２凸状体の長手方向の両側に沿って延びると共に第１フランジに接続し、水路の内面に接触する一対の第２フランジとからなり、第２目地材は、目地部に沿って延び、第１凸状体に接続すると共に目地部の内部に突出する凹状体と、凹状体の長手方向の両側に沿って延びると共に第２フランジに接続し、水路の内面に接触する一対の第３フランジとからなり、第１凸状体と第２凸状体とは、互いの一部が重なるように接続されるものである。
【００２２】
このように構成すると、傾斜面を有する角部において凸状体に過大な圧縮力が生じない。
【００２３】
請求項８記載の発明は、請求項７記載の発明の構成において、コンクリートの各々は水路の上部が閉じるように構成され、第１縁は、水路の端部を構成する一対の水平縁の上方側としたものである。
【００２４】
このように構成すると、上部に配置された凸状体はその先端が下方に向かう。
【発明の効果】
【００２５】
以上説明したように、請求項１記載の発明は、角部において凸状体又は凹状体に過大な引張力が生じないため、角部における目地材の取付けが容易となり、形状に合わせた加工が不要となる。
【００２６】
請求項２記載の発明は、請求項１記載の発明の効果に加えて、上部に配置された凸状体はその先端が下方に向かうため、止水目地材の形状が安定する。
【００２７】
請求項３記載の発明は、角部において凹状体に過大な引張力が生じないため、角部における目地材の取付けが容易となり、形状に合わせた加工が不要となる。
【００２８】
請求項４記載の発明は、角部において凸状体に過大な圧縮力が生じないため、角部における目地材の取付けが容易となり、形状に合わせた加工が不要となる。
【００２９】
請求項５記載の発明は、傾斜面を有する角部において凹状体に過大な引張力が生じないため、角部における目地材の取付けが容易となり、形状に合わせた加工が不要となる。
【００３０】
請求項６記載の発明は、傾斜面を有する角部において凸状体に過大な圧縮力が生じないため、角部における目地材の取付けが容易となり、形状に合わせた加工が不要となる。
【００３１】
請求項７記載の発明は、傾斜面を有する角部において凸状体に過大な圧縮力が生じないため、角部における目地材の取付けが容易となり、形状に合わせた加工が不要となる。
【００３２】
請求項８記載の発明は、上部に配置された凸状体はその先端が下方に向かうため、止水目地材の形状が安定する。
【発明を実施するための最良の形態】
【００３３】
図１はこの発明の第１の実施の形態によるコンクリートブロックの設置状態を示した概略斜視図であり、図２は図１で示したＩＩ−ＩＩラインの断面図である。
【００３４】
これらの図を参照して、その内部に水路１８ａ，水路１８ｂが形成されているコンクリートブロック１５ａ，コンクリートブロック１５ｂが、目地部１６を介して隣接状態に設置されている。水路１８ａは横断面形状が矩形形状をしており、その端部は互いに対向状態にある第１水平縁１９ａ，第２水平縁２０ａと互いに対向状態にある第１垂直縁２２ａ，第２垂直縁２３ａとによって構成されている。目地部１６を覆う止水目地材２５は目地部１６に沿うように全周に取り付けられているが、この具体的な形状については以下に説明する。
【００３５】
図３は図２で示した“Ａ”部分の拡大斜視図であり、止水目地材の部分のみを表している。図１２で示したような押え板やアンカーボルト等は記載されていないが、実際にはこれらによってこの止水目地材２５は水路１８ａ，水路１８ｂに取り付けられるものである。又、止水目地材２５は、水路１８ａの角部に対応するその一部のみを表しているが、実際は水路１８ａの目地部１６を全周覆うようにその端部は連続しているものである。
【００３６】
図を参照して、止水目地材２５は、目地部１６の水平部分に沿う第１目地材２９と目地部１６の垂直部分に沿う第２目地材３４とから構成され、これらによって水路１８ａ，水路１８ｂの角部が覆われている。
【００３７】
止水目地材２５はゴムシート等による可撓性且つ止水性能を有する板状の材料を撓ませることにより構成されている。第１目地材２９は、目地部１６の水平部分に沿って延び、水路１８ａ，水路１８ｂの内部に突出する凸状体２６と、凸状体２６の長手方向の両側に沿って延び、水路１８ａ，水路１８ｂの各々の内面に接触する一対の第１フランジ２７ａ，第１フランジ２７ｂとから構成されている。
【００３８】
一方、第２目地材３４は、目地部１６の垂直部分に沿って延び、凸状体２６に接続すると共に目地部１６の垂直部の内部に突出する凹状体３１と、凹状体３１の長手方向の両側に沿って延びると共に第１フランジ２７ａ，第１フランジ２７ｂの各々に接続し水路１８ａ，水路１８ｂの内面に接触する一対の第２フランジ３２ａ，第２フランジ３２ｂとから構成されている。
【００３９】
取付け時にあっては、１枚の帯状のゴムシート等を図のように凸状体２６及び凹状体３１が形成されるように変形させながら水路１８ａ，水路１８ｂの角部に取り付ければ良い。これによって凸状体２６と凹状体３１との接続部分に過大な引張力が生じることがなく、安定した取付状態が維持される。そして角部を含めて止水目地材２５には凸状体２６及び凹状体３１が連続的に形成されていることになるため、目地部１６の地震等による間隔の変化等にも止水目地材２５は容易に追随することが可能となり、その止水性能を維持することができる。
【００４０】
図４は図２で示した“Ｂ”部分の拡大斜視図であり、図３と同様に止水目地材の一部のみの取付状態を示した概略図である。
【００４１】
図を参照して、止水目地材２５は目地部１６の垂直部を覆う第２目地材３４と、目地部１６の上方の水平部を覆う第３目地材３９とから構成されている。第２目地材３４は図３で示した第２目地材３４に接続するものであり、同一構造である。
【００４２】
一方、第３目地材３９は、図３で示した第１目地材２９に対して上下方向に反転した対称形状を有するものである。即ち、目地部１６の上部の水平部に沿って延び、水路１８ａ，水路１８ｂの内部に突出する凸状体３６と、凸状体３６の長手方向の両側に沿って延び、水路１８ａ，水路１８ｂの内面に接触する第３フランジ３７ａ，第３フランジ３７ｂとから構成されている。尚、凸状体３６は凹状体３１に接続され、第３フランジ３７ａ，第３フランジ３７ｂの各々は第２目地材３４の第２フランジ３２ａ，第２フランジ３２ｂの各々に接続されている。
【００４３】
これによって図３に示したものと同様に水路１８ａ，水路１８ｂの上部角部においても止水目地材２５を容易に取り付けることが可能となり、又、その取付状態が安定する。尚、第３目地材３９の凸状体３６は下方に向かうように形成されているため、その目地部１６の内部に突出するような形状に比べてその取付状態が重力的に安定する。すなわち、上部が閉じたこのような水路にあっては、水路内を満水状態として使用しないため第３目地材３９に対して内部から水圧がかからないためである。
【００４４】
図５はこの発明の第２の実施の形態による止水目地材の取付状態を示した斜視図であり、先の実施の形態による図３に対応した図である。
【００４５】
図を参照して、水路１８ａ，水路１８ｂの下方部角部に取り付けられる止水目地材２５は、目地部１６の水平部分を覆う水平目地材４４と目地部１６の垂直部分を覆う垂直目地材４９とから構成されている。
【００４６】
水平目地材４４は、目地部１６の水平部分に沿って延び、目地部１６の内部に突出する第１凹状体４１と、第１凹状体４１の長手方向の両側に沿って延び、水路１８ａ，水路１８ｂの内面に接触する一対の第１フランジ４２ａ，第１フランジ４２ｂとから構成されている。一方、垂直目地材４９は目地部１６の垂直部分に沿って延び、第１凹状体４１に接続すると共に目地部１６の垂直部分の内部に突出する第２凹状体４６と、第２凹状体４６の長手方向の両側に沿って延びると共に第１フランジ４２ａ，第１フランジ４２ｂの各々に接続し、水路１８ａ，水路１８ｂの内面に接触する一対の第２フランジ４７ａ，第２フランジ４７ｂとから構成されている。
【００４７】
尚、水平目地材４４の第１凹状体４１と垂直目地材４９の第２凹状体４６とは、水路１８ａ，水路１８ｂの内部に突出する凸状体５０を介して接続されている。これによって、第１凹状体４１と第２凹状体４６とはいずれも目地部１６の内部に突出する形状であるが、凸状体５０の存在によってこれらの接続部分に過大な引張力が生じることはない。その結果、水路１８ａ，水路１８ｂの角部であっても第１凹状体４１と第２凹状体４６とを連続的に形成することが可能となり、用途に応じた使い勝手が向上する。
【００４８】
尚、凸状体５０は水路１８ａ，水路１８ｂの内方側に突出する形状となるが、目地部１６に対する緩衝機能を損なうことはない。
【００４９】
図６はこの発明の第３の実施の形態による止水目地材の取付状態を示した斜視図であり、先の実施の形態による図４に対応した図である。
【００５０】
図を参照して、水路１８ａ，水路１８ｂの上部角部に取り付けられる止水目地材２５は目地部１６の上部水平部分を覆う水平目地材５４と、目地部１６の垂直部分を覆う垂直目地材５９とから構成されている。水平目地材５４は目地部１６の水平部分に沿って延び、水路１８ａ，水路１８ｂの内部に突出する第１凸状体５１と、第１凸状体５１の長手方向の両側に沿って延び、水路１８ａ，水路１８ｂの内面に接触する一対の第１フランジ５２ａ，第１フランジ５２ｂとから構成されている。
【００５１】
一方、垂直目地材５９は、目地部１６の垂直部分に沿って延び、第１凸状体５１に接続すると共に水路１８ａ，水路１８ｂの内部に突出する第２凸状体５６と、第２凸状体５６の長手方向の両側に沿って延びると共に、第１フランジ５２ａ，第１フランジ５２ｂの各々に接続し、水路１８ａ，水路１８ｂの内面に接触する一対の第２フランジ５７ａ，第２フランジ５７ｂとから構成されている。そして、水平目地材５４の第１凸状体５１と垂直目地材５９の第２凸状体５６とは、互いの一部が重なり部６０において重なるように接続されている。
【００５２】
これによって、第１凸状体５１及び第２凸状体５６のいずれも水路１８ａ，水路１８ｂの内方側に突出しているが、その接続部分に過大な圧縮力が生じることはない。その結果、止水目地材２５の水路１８ａ，水路１８ｂの上部角部における取付状態が安定し又、第１凸状体５１及び第２凸状体５６の目地部１６に対する緩衝機能を損なうことがない。又、第１凸状体５１は下方に向かうように取り付けられるため、上部の目地部１６に対して重力的に安定した取付状態が維持される。すなわち、上部が閉じたこのような水路にあっては、水路内を満水状態として使用しないため水平目地材５４に対して内部から水圧がかからないためである。
【００５３】
図７は、この発明の第４の実施の形態によるコンクリートブロックの設置状態を示した概略斜視図であり、図８は図７で示したＶＩＩＩ−ＶＩＩＩラインの断面図である。
【００５４】
これらの図を参照して、コンクリートブロック１５ａ，コンクリートブロック１５ｂの各々はその内部に横断面形状が８角形形状の水路１８ａ，水路１８ｂを有した構造である。即ち、水路１８ａの端部は対向する一対の第１水平縁１９ａ，第２水平縁２０ａと、対向する第１垂直縁２２ａ，第２垂直縁２３ａと、第１水平縁１９ａと第１垂直縁２２ａとを接続する第１傾斜縁６１ａと、第１垂直縁２２ａと第２水平縁２０ａとを接続する第２傾斜縁６２ａと、第２水平縁２０ａと第２垂直縁２３ａとを接続する第３傾斜縁６３ａと、第２垂直縁２３ａと第１水平縁１９ａとを接続する第４傾斜縁６４ａとから構成されている。止水目地材２５はこのような断面形状を有する水路１８に対してその目地部１６を全面に覆うものである。
【００５５】
図９は図８で示した“Ｃ”部分の止水目地材の取付状態を示した拡大斜視図である。
【００５６】
図を参照して、水路１８ａ，水路１８ｂの下部角部に取り付けられる止水目地材２５は、目地部１６の水平部分を覆う水平目地材４４と、目地部１６の傾斜部分を覆う傾斜目地材６８と、目地部１６の垂直部分を覆う垂直目地材４９とから構成されている。
【００５７】
水平目地材４４は、目地部１６の水平部分に沿って延び、目地部１６の内部に突出する第１凹状体４１と、第１凹状体４１の長手方向の両側に沿って延び、水路１８ａ，水路１８ｂの内面に接触する一対の第１フランジ４２ａ，第１フランジ４２ｂとから構成されている。
【００５８】
傾斜目地材６８は、目地部１６の傾斜部分に沿って延び、第１凸状体４１に接続すると共に、水路１８ａ，水路１８ｂの内部に突出する凸状体６６と、凸状体６６の長手方向の両側に沿って延びると共に、第１フランジ４２ａ，第１フランジ４２ｂの各々に接続し、水路１８ａ，水路１８ｂの内面に接触する一対の第２フランジ６７ａ，第２フランジ６７ｂとから構成されている。
【００５９】
垂直目地材４９は目地部１６の垂直部分に沿って延び、凸状体６６に接続すると共に目地部１６の内部に突出する第２凹状体４６と、第２凹状体４６の長手方向の両側に沿って延びると共に、第２フランジ６７ａ，第２フランジ６７ｂの各々に接続し、水路１８ａ，水路１８ｂの内面に接触する一対の第３フランジ７０ａ，第３フランジ７０ｂとから構成されている。
【００６０】
水平目地材４４の第１凹状体４１と垂直目地材４９の第２凹状体４６とは、傾斜目地材６８の凸状体６６を介して接続されるため、これらに過大な引張力が生じる虞はない。その結果、傾斜面を含む水路１８ａ，水路１８ｂの角部においても安定した取付状態と止水性能を維持することが可能となる。
【００６１】
図１０は図８で示した“Ｄ”部分の止水目地材２５の取付状態を示した拡大斜視図である。
【００６２】
図を参照して、水路１８ａ，水路１８ｂの上部角部に取り付けられる止水目地材２５は、目地部１６の上部の水平部分を覆う第１目地材７４と、目地部１６の傾斜部分を覆う傾斜目地材７８と、目地部１６の垂直部分を覆う第２目地材８２とから構成されている。第１目地材７４は、目地部１６の水平部分に沿って延び、水路１８ａ，水路１８ｂの内部に突出する第１凸状体７２と、第１凸状体７２の長手方向の両側に沿って延び、水路１８ａ，水路１８ｂの内面に接触する一対の第１フランジ７３ａ，第１フランジ７３ｂとから構成されている。
【００６３】
傾斜目地材７８は、目地部１６の傾斜部分に沿って延び、第１凸状体７２に接続すると共に水路１８ａ，水路１８ｂの内部に突出する第２凸状体７６と、第２凸状体７６の長手方向の両側に沿って延びると共に第１フランジ７３ａ，第１フランジ７３ｂの各々に接続し、水路１８ａ，水路１８ｂの内面に接触する一対の第２フランジ７７ａ，第２フランジ７７ｂとから構成されている。
【００６４】
第２目地材８２は、目地部１６の垂直部分に沿って延び、第２凸状体７６に接続すると共に目地部１６の内部に突出する凹状体８０と、凹状体８０の長手方向の両側に沿って延びると共に第２フランジ７７ａ，第２フランジ７７ｂの各々に接続し、水路１８ａ，水路１８ｂの内面に接触する一対の第３フランジ８１ａ，第３フランジ８１ｂとから構成されている。尚、第１目地材７４の第１凸状体７２と傾斜目地材７８の第２凸状体７６とは、重なり部８６において互いの一部が重なるように接続されている。
【００６５】
このように構成することによって第１目地材７４の第１凸状体７２と傾斜目地材７８の第２凸状体７６とには過大な圧縮力が生じることがなく、又、第２目地材８２の凹状体８０には過大な引張力が生じる虞がない。その結果、水路１８ａ，水路１８ｂの上部角部においても、止水目地材２５の取付状態が安定すると共にその止水性能も維持されることになる。
【００６６】
又、第１目地材７４の第１凸状体７２は下方に向かうように形成されているため、上部の目地部１６に対して重力的に安定した状態で取り付けられることになる。すなわち、上部が閉じたこのような水路にあっては、水路内を満水状態として使用しないため第１目地材７４に対して内部から水圧がかからないためである。
【００６７】
尚、上記の第１の実施の形態では、目地部の水平部分を覆う目地材は凸状体を有しており、垂直部分を覆う目地材は凹状体を有しているが、これらは逆に構成しても良い。
【００６８】
又、上記の第２の実施の形態では、水路の下方角部に取り付ける止水目地材の構造が示されているが、この構造は水路の上方角部に適用することもできる。
【００６９】
更に、上記の第３の実施の形態では、水路の上方角部に取り付ける止水目地材の構造が
示されているが、この構造は水路の下方角部に適用することもできる。
【００７０】
更に、上記の第４の実施の形態では、図９に示すように目地部の下方角部の水平部分および垂直部分を覆う目地材は凹状体を有しており、傾斜部分を覆う目地材は凸状体を有しているが、これらは逆に構成しても良い。
【００７１】
更に、上記の第４の実施の形態では、図９に示す止水目地材は水路の下方角部に取り付けるように構成されているが、これを水路の上方角部に取り付けても良い。
【００７２】
更に、上記の第４の実施の形態では、図１０に示す止水目地材は水路の上方角部に取り付けるように構成されているが、これを水路の下方角部に取り付けても良い。
【００７３】
更に、上記の第３の実施の形態では、重なり部において第１凸状体が第２凸状体の中に入るように構成されているが、第２凸状体が第１凸状体の中に入るように構成しても良い。
【００７４】
更に、上記の第４の実施の形態では、図１０に示すようにおいて第１凸状体が第２凸状体の中に入るように構成されているが、第２凸状体が第１凸状体の中に入るように構成しても良い。
【００７５】
更に、上記の各実施の形態では、水路の角部は９０度又は２箇所の４５度によって水平部と垂直部とが交差しているが、この交差角度は任意の角度であっても同様に本願発明を適用することができる。
【００７６】
更に、上記の各実施の形態では、目地部に対して止水目地材の凹状体と凸状体とが組み合わされているが、水路の用途に応じて目地部に対していずれか一方のみで止水目地材を構成しても良い。
【００７７】
更に、上記の各実施の形態では、上方が塞がれた水路に適用しているが、図１１で示したような上方が開放の水路に対しても同様に適用でき、同様の効果を奏することは言うまでもない。
【図面の簡単な説明】
【００７８】
【図１】この発明の第１の実施の形態による止水目地材が取り付けられるコンクリートブロックの設置状態を示した概略斜視図である。
【図２】図１で示したＩＩ−ＩＩラインの断面図である。
【図３】図２で示した“Ａ”部分における止水目地材の取付状態を示した拡大斜視図である。
【図４】図２で示した“Ｂ”部分における止水目地材の取付状態を示した拡大斜視図である。
【図５】この発明の第２の実施の形態による止水目地材の取付状態を示した概略斜視図であって、先の実施の形態による図３に対応した図である。
【図６】この発明の第３の実施の形態による止水目地材の取付状態を示した概略斜視図であって、先の実施の形態による図４に対応した図である。
【図７】この発明の第４の実施の形態による止水目地材が取り付けられるコンクリートブロックの設置状態を示した概略斜視図である。
【図８】図７で示したＶＩＩＩ−ＶＩＩＩラインの断面図である。
【図９】図８で示した“Ｃ”部分における止水目地材の取付状態を示した拡大斜視図である。
【図１０】図８で示した“Ｄ”部分における止水目地材の取付状態を示した拡大斜視図である。
【図１１】従来の止水目地材が取り付けられているコンクリートブロックの設置状態を示した概略斜視図である。
【図１２】図１１で示したＸＩＩ−ＸＩＩラインの拡大断面図である。
【符号の説明】
【００７９】
１５…コンクリートブロック
１６…目地部
１８…水路
２５…止水目地材
２６，３６，５０，６６…凸状体
２７，４２，５２，７３…第１フランジ
２９，７４…第１目地材
３１，８０…凹状体
３２，４７，５７，６７，７７…第２フランジ
３４，８２…第２目地材
３７，７０，８１…第３フランジ
３９…第３目地材
４１…第１凹状体
４４，５４…水平目地材
４６…第２凹状体
４９，５９…垂直目地材
５１，７２…第１凸状体
５６，７６…第２凸状体
６０，８３…重なり部
６８，７８…傾斜目地材
尚、各図中同一符号は同一又は相当部分を示す。
【図１】
0004585942.tif 000002
【図２】
0004585942.tif 000003
【図３】
0004585942.tif 000004
【図４】
0004585942.tif 000005
【図５】
0004585942.tif 000006
【図６】
0004585942.tif 000007
【図７】
0004585942.tif 000008
【図８】
0004585942.tif 000009
【図９】
0004585942.tif 000010
【図１０】
0004585942.tif 000011
【図１１】
0004585942.tif 000012
【図１２】
0004585942.tif 000013